(57)【要約】【課題】  カテーテルの操作性を低下させること無く、かつ各枝管の識別が容易な医療用カテーテルを提供すること。また、カテーテルの操作性を低下させること無く、かつ各枝管の識別が容易な医療用カテーテルを製造することが可能な金型およびそれを用いた医療用カテーテルの製造方法を提供すること。【解決手段】  本発明の医療用カテーテルは、チューブと、前記チューブの基端側に配置された第１枝管、第２枝管および第３枝管と、前記チューブと前記各枝管とを接合する接合部材と、を有する医療用カテーテルであって、少なくとも前記第１枝管と前記第２枝管とが、それぞれ略同一平面である基準面上に配置され、かつ前記第１枝管と前記第２枝管のなす角度が１８０度未満であり、前記第３枝管は、前記同一平面に対して所定の角度をなして配置されていることを特徴とする。【選択図】  図１
2006263247.tif 000002
【特許請求の範囲】
【請求項１】
チューブと、前記チューブの基端側に配置された第１枝管、第２枝管および第３枝管と、前記チューブと前記各枝管とを接合する接合部材と、を有する医療用カテーテルであって、
少なくとも前記第１枝管と前記第２枝管とが、それぞれ略同一平面である基準面上に配置され、かつ前記第１枝管と前記第２枝管のなす角度が１８０度未満であり、
前記第３枝管は、前記基準面に対して所定の角度をなして配置されていることを特徴とする医療用カテーテル。
【請求項２】
さらに前記第１枝管と前記第２枝管との間に配置される第４枝管を有し、かつ該第４枝管が前記基準面上に配置されているものである請求項１に記載の医療用カテーテル。
【請求項３】
さらに第５枝管を有し、かつ該第５枝管が前記基準面に対して所定の角度をなして配置されているものである請求項１または２に記載の医療用カテーテル。
【請求項４】
前記第５枝管は、前記第３枝管と異なる方向に所定の角度をなして配置されているものである請求項３に記載の医療用カテーテル。
【請求項５】
前記第３枝管の所定角度は、１０〜４０度である請求項１ないし４のいずれかに記載の医療用カテーテル。
【請求項６】
前記第５枝管の所定角度は、１０〜４０度である請求項３ないし５のいずれかに記載の医療用カテーテル。
【請求項７】
チューブと、前記チューブの基端側に配置された第１枝管、第２枝管および第３枝管と、前記チューブと前記各枝管とを接合する接合部材と、を有する医療用カテーテルを製造するために用いる金型であって、
前記チューブを配置可能なチューブ溝と、前記第１枝管を配置可能な第１溝と、前記第２枝管を配置可能な第２溝とを有し、
前記チューブ溝と、前記第１溝および前記第２溝とは、前記接合部材を形成可能な空間部を介して対向する位置に略同一平面である基準面上に設けられ、
前記空間部には、前記基準面に対して所定の角度をなして設けられた前記第３枝管を挿入可能とする貫通孔を形成するためのダミー部材が配置されていることを特徴とする金型。
【請求項８】
請求項７に記載の金型を用いて医療用カテーテルを製造する方法であって、
前記各溝に前記チューブ、前記第１枝管および前記第２枝管を配置し、前記チューブ、前記第１枝管および前記第２枝管の内腔に芯材を挿入する工程と、
前記空間部に樹脂を注入して接続部材を形成する工程と、
前記金型を離型すると共に前記芯材を除去する工程と、
前記接続部材に、前記第３枝管を接続する工程とを有していることを特徴とする医療用カテーテルの製造方法。
【発明の詳細な説明】
【技術分野】
【０００１】
本発明は、医療用カテーテル、金型および医療用カテーテルの製造方法に関する。
【背景技術】
【０００２】
腸閉塞の診断や治療にあたっては、カテーテルを経鼻的に食道から胃大弯を通して腸内まで挿入し、腸内容物の排出あるいは腸管内を減圧して内部負荷を軽減することによる閉塞解除法が多用されている。このような用途に使用されている従来のカテーテル構造は、先端部にカテーテルの挿入を容易化する複数個の金属球やリング等の錘を数珠状に柔軟性樹脂に埋め込んだ誘導部を設置している。
また、カテーテル本体には複数個の吸引孔と液体注入によって膨張するバルーンが付設され、カテーテル本体の基端側には各ルーメンに連通する分岐チューブが接続されており、更に分岐チューブの基端部にはコネクターを付設した構造となっている。
【０００３】
このようなカテーテル本体は、通常２〜４個のルーメンを有しており、基本的には腸内の内容物を体外に排出するための通路となるメインルーメンとバルーンに膨張用流体を注入するためのサブルーメンとにより構成されている。また、吸引効率の向上と、腸壁に対する過度の吸引を防止するためのエアー導入通路となる別のサブルーメンが付設されることもある。
【０００４】
このようなカテーテル本体のルーメンには、接続部材を介して各ルーメンに連通するようにルーメンの数に相当する枝管を接続する必要がある。
しかし、複数のルーメン（特に３本以上のルーメン）を有するカテーテルでは、枝管の数も多くなり、それによって接続部材が大きくなり、操作性が低下したり、複数の枝管の識別が困難となったりする場合があった。
【０００５】
【特許文献１】特開平１０−１５０７８号公報
【発明の開示】
【発明が解決しようとする課題】
【０００６】
本発明の目的は、カテーテルの操作性を低下させること無く、かつ各枝管の識別が容易な医療用カテーテルを提供することにある。
また、本発明の目的は、カテーテルの操作性を低下させること無く、かつ各枝管の識別が容易な医療用カテーテルを製造することが可能な金型およびそれを用いた医療用カテーテルの製造方法を提供することにある。
【課題を解決するための手段】
【０００７】
このような目的は、下記（１）〜（８）に記載の本発明により達成される。
（１）チューブと、前記チューブの基端側に配置された第１枝管、第２枝管および第３枝管と、前記チューブと前記各枝管とを接合する接合部材と、を有する医療用カテーテルであって、少なくとも前記第１枝管と前記第２枝管とが、それぞれ略同一平面である基準面上に配置され、かつ前記第１枝管と前記第２枝管のなす角度が１８０度未満であり、前記第３枝管は、前記基準面に対して所定の角度をなして配置されていることを特徴とする医療用カテーテル。
（２）さらに前記第１枝管と前記第２枝管との間に配置される第４枝管を有し、かつ該第４枝管が前記基準面上に配置されているものである上記（１）に記載の医療用カテーテル。
（３）さらに第５枝管を有し、かつ該第５枝管が前記基準面に対して所定の角度をなして配置されているものである上記（１）または（２）に記載の医療用カテーテル。
（４）前記第５枝管は、前記第３枝管と異なる方向に所定の角度をなして配置されているものである上記（３）に記載の医療用カテーテル。
（５）前記第３枝管の所定角度は、１０〜４０度である上記（１）ないし（４）のいずれかに記載の医療用カテーテル。
（６）前記第５枝管の所定角度は、１０〜４０度である上記（３）ないし（５）のいずれかに記載の医療用カテーテル。
（７）チューブと、前記チューブの基端側に配置された第１枝管、第２枝管および第３枝管と、前記チューブと前記各枝管とを接合する接合部材と、を有する医療用カテーテルを製造するために用いる金型であって、前記チューブを配置可能なチューブ溝と、前記第１枝管を配置可能な第１溝と、前記第２枝管を配置可能な第２溝とを有し、前記チューブ溝と、前記第１溝および前記第２溝とは、前記接合部材を形成可能な空間部を介して対向する位置に略同一平面である基準面上に設けられ、前記空間部には、前記基準面に対して所定の角度をなして設けられた前記第３枝管を挿入可能とする貫通孔を形成するためのダミー部材が配置されていることを特徴とする金型。
（８）上記（７）に記載の金型を用いて医療用カテーテルを製造する方法であって、前記各溝に前記チューブ、前記第１枝管および前記第２枝管を配置し、前記チューブ、前記第１枝管および前記第２枝管の内腔に芯材を挿入する工程と、前記空間部に樹脂を注入して接続部材を形成する工程と、前記金型を離型すると共に前記芯材を除去する工程と、前記接続部材に、前記第３枝管を接続する工程とを有していることを特徴とする医療用カテーテルの製造方法。
【発明の効果】
【０００８】
本発明によれば、カテーテルの操作性を低下させること無く、かつ各枝管の識別が容易な医療用カテーテルを得ることができる。
また、本発明によれば、カテーテルの操作性を低下させること無く、かつ各枝管の識別が容易な医療用カテーテルを製造することが可能な金型およびそれを用いた医療用カテーテルを得ることができる。
また、前記第５枝管の角度を２０〜３０度にした場合、特に医療用カテーテルの操作性に優れる。
【発明を実施するための最良の形態】
【０００９】
以下、本発明の医療用カテーテル、金型および医療用カテーテルの製造方法について詳細に説明する。
本発明の医療用カテーテルは、チューブと、前記チューブの基端側に配置された第１枝管、第２枝管および第３枝管と、前記チューブと前記各枝管とを接合する接合部材と、を有する医療用カテーテルであって、少なくとも前記第１枝管と前記第２枝管とが、それぞれ略同一平面である基準面上に配置され、かつ前記第１枝管と前記第２枝管のなす角度が１８０度未満であり、前記第３枝管は、前記同一平面に対して所定の角度をなして配置されていることを特徴とする。
本発明の金型は、チューブと、前記チューブの基端側に配置された第１枝管、第２枝管および第３枝管と、前記チューブと前記各枝管とを接合する接合部材と、を有する医療用カテーテルを製造するために用いる金型であって、前記チューブを配置可能なチューブ溝と、前記第１枝管を配置可能な第１溝と、前記第２枝管を配置可能な第２溝とを有し、前記チューブ溝と、前記第１溝および前記第２溝とは、前記接合部材を形成可能な空間部を介して対向する位置に略同一平面である基準面上に設けられ、前記空間部には、前記基準面に対して所定の角度をなして設けられた前記第３枝管を挿入可能とする貫通孔を形成するためのダミー部材が配置されていることを特徴とする。
また、本発明の医療用カテーテルの製造方法は、上記に記載の金型を用いて医療用カテーテルを製造する方法であって、前記各溝に前記チューブ、前記第１枝管および前記第２枝管を配置し、前記チューブ、前記第１枝管および前記第２枝管の内腔に芯材を挿入する工程と、前記空間部に樹脂を注入して接続部材を形成する工程と、前記金型を離型すると共に前記芯材を除去する工程と、前記接続部材に、前記第３枝管を接続する工程とを有していることを特徴とする。
【００１０】
まず、医療用カテーテルについて添付図面に示す好適な実施形態に基づいて説明する。
図１は、本発明の医療用カテーテルの一例を示す斜視図である。図２は、接続部材の一例を示す斜視図である。図３ないし図６は、本発明の金型の一例を示すものである。なお、本明細書では、図１および図２中の右側を基端側とし、左側を先端側とする。
【００１１】
図１に示すように、医療用カテーテル１００は、チューブ５と、チューブ５の基端側に配置された第１枝管１、第２枝管２、第３枝管３および第４枝管と、チューブ５と各枝管とを接合する接合部材６とを有している。
【００１２】
チューブ５の先端側は、体内に挿入、留置して用いるものである。
本実施の形態では、チューブ５が接合部材６を介して各枝管（１、２、３および４）と反対側に配置されている。
チューブ５を構成する材料としては、例えばポリウレタン樹脂、塩化ビニル樹脂、シリコーンゴム等およびこれらの複合材料が挙げられる。これらの中でも塩化ビニル樹脂（特に軟質塩化ビニル樹脂）、および塩化ビニル樹脂とシリコーンゴムとの複合材料が好ましい。これにより、チューブ５の柔軟性と剛性のバランスが優れ、それによって経鼻的挿入の際に鼻腔の疼痛を防ぐことができ、かつチューブ５の挿入を容易にできる。
【００１３】
また、チューブ５内部の内腔（ルーメン）または外表面には、特に限定されないが、
潤滑性処理を施すことが好ましい。
潤滑性処理を施す方法としては、例えばフッ素樹脂またはハイドロゲルをコーティングする方法、シリコーンオイル等をチューブを構成する材料に混練する方法が挙げられる。
前記ハイドロゲルとしては、例えばコラーゲン、ポリビニルピロリドン、ポリアクリルアミド等が挙げられる。これらの中でもポリビニルピロリドンが好ましい。これにより、人体に対する毒性を低減することができる。
【００１４】
前記ハイドロゲルのチューブ５への固定は、例えば予め溶液にした前記ハイドロゲルをチューブ５にコーティングした後、グルタールアルデヒド等で架橋させる方法、前記ハイドロゲルのモノマーをコーティングした後で重合開始剤によって架橋させる方法、光反応性架橋剤で変性した前記ハイドロゲルの溶液をチューブ５にコーティングした光照射によってチューブ５に固定する方法等が挙げられる。
更に、チューブ５には硫酸バリウム、酸化ビスマス等のＸ線不透過剤を混練したり、ライン状に配置したりすることも好ましい。
【００１５】
チューブ５は複数の内腔を有し、その内径は各々特に限定されないが、１〜３．５ｍｍが好ましく、特に２〜３ｍｍが好ましい。外径も、特に限定されないが、３．５〜８ｍｍが好ましく、特に４〜６ｍｍが好ましい。内外径が前記範囲内であると、薬液・水等の注入、胃・腸管内容物、ガス等の吸引性能も問題なく行え、また体内へのチューブ５の挿入も抵抗なく実施することができる。
【００１６】
また、チューブ５の先端部には、複数個の金属球またはリング等の錘を柔軟性樹脂に埋め込んだ誘導部を配置したり、バルーンを設置したりすることも好ましい。
【００１７】
第１枝管１と第２枝管２とは、それぞれ略同一平面である基準面上に配置されている。
第１枝管１と第２枝管２のなす角度は、図１に示す実施形態では鋭角である。第１枝管１と第２枝管２のなす角度は、１８０度未満である。より具体的には、前記角度は、１０〜４０度が好ましく、特に２０〜３０度が好ましい。これにより、医療用カテーテルの大きさを小さくすることができる。また、一定の方向性を有しているので操作しやすい。
【００１８】
第１枝管１を構成する材料としては、例えば塩化ビニル樹脂（特に軟質塩化ビニル樹脂）、シリコーンゴム、ポリウレタン樹脂等が挙げられる。これらの中でも塩化ビニル樹脂（特に軟質塩化ビニル樹脂）が好ましい。これにより、第１枝管１の剛性が向上し、第１枝管１の基端側にシリンジを接続する時に第１枝管１がたわむことなく接続できるため操作性が向上する。
【００１９】
第２枝管２を構成する材料としては、例えば塩化ビニル樹脂（特に軟質塩化ビニル樹脂）、シリコーンゴム、ポリウレタン樹脂等が挙げられる。これらの中でも塩化ビニル樹脂（特に軟質塩化ビニル樹脂）が好ましい。これにより、第２枝管２の剛性が向上し、第２枝管２の基端側にシリンジを接続する時に第２枝管２がたわむことなく接続できるため操作性が向上する。
【００２０】
第１枝管１と第２枝管２とは、異なる材料で構成されていても良いが、同じ材料で構成されていることが好ましい。これにより、医療用カテーテルの材料を共通化できるため生産性を向上することができる。
【００２１】
第１枝管１の内径は、特に限定されないが、１〜９ｍｍが好ましく、特に２〜４ｍｍが好ましい。外径も、特に限定されないが、２〜１０ｍｍが好ましく、特に３〜５ｍｍが好ましい。内外径が前記範囲内であると、分岐部を束ねた際に嵩張らず、かつ流量抵抗も少ないチューブ５とすることができる。
【００２２】
第２枝管２の内径は、特に限定されないが、１〜９ｍｍが好ましく、特に２〜４ｍｍが好ましい。外径も、特に限定されないが、２〜１０ｍｍが好ましく、特に３〜５ｍｍが好ましい。内外径が前記範囲内であると、分岐部を束ねた際に嵩張らず、かつ流量抵抗も少ないチューブ５とすることができる。
【００２３】
第１枝管１の直径と、第２枝管２の直径とは、同じであっても、異なっていても構わない。
【００２４】
第３枝管３を前記基準面から外れる方向に配置する理由は、次の通りである。
従来の医療用カテーテルでは、複数のルーメン（特に３本以上のルーメン）を有するカテーテルでは、枝管の数も多くなり、それによって接続部材が大きくなり、操作性が低下したり、複数の枝管の識別が困難となったりする場合があった。
これに対して、第３枝管３を前記基準面から外れる方向に配置した場合、第１枝管１および第２枝管２との識別を容易にすることができる。これにより、誤操作を防止することができる。また、複数の枝管を一列に配置するのと比較して、各枝管を束ねた際の嵩張りを小さくすることができる。これによって、医療用カテーテルの操作性を向上することができる。
【００２５】
具体的に第３枝管３は、図１に示す実施形態では前記基準面から鋭角の角度をなして配置されている。これにより、医療用カテーテル１００の大きさを小さくすることができ、それによって操作性を向上することができる。さらに、他の枝管との識別が容易となり、それによって各枝管の機能を誤操作することを防止することができる。
前記基準面からの角度は、特に限定されず、１０〜４０度が好ましく、特に２０〜３０度が好ましい。角度が前記範囲内であると、特に分岐部の嵩張りを小さくでき、分岐部を把持した際の操作性に優れる。
【００２６】
第３枝管３を構成する材料としては、例えば塩化ビニル樹脂（特に軟質塩化ビニル樹脂）、シリコーンゴム、ポリウレタン樹脂等が挙げられる。これらの中でも塩化ビニル樹脂（特に軟質塩化ビニル樹脂）が好ましい。これにより、第３枝管３の剛性が向上し、第３枝管３の基端側にシリンジを接続する時に第３枝管３がたわむことなく接続できるため操作性が向上する。
【００２７】
第３枝管３は、第１枝管１と第２枝管２と異なる材料で構成されていても良いが、同じ材料で構成されていることが好ましい。これにより、医療用カテーテルの材料を共通化できるため生産性を向上することができる。
【００２８】
第３枝管３の内径は、特に限定されないが、１〜９ｍｍが好ましく、特に２〜４ｍｍが好ましい。外径も、特に限定されないが、２〜１０ｍｍが好ましく、特に３〜５ｍｍが好ましい。内外径が前記範囲内であると、分岐部を束ねた際に嵩張らず、かつ流量抵抗も少ないチューブ５とすることができる。
【００２９】
第３枝管３の直径と、第１枝管１の直径および第２枝管２の直径とは、同じであっても、異なっていても構わない。
【００３０】
第４枝管４は、第１枝管１と第２枝管２との間に配置され、かつ第４枝管４は前記基準面上に配置されている。これにより、各枝管の基端側にシリンジを接続する時に第１枝管１と第２枝管２とを識別することができ、誤操作を防止することができる。
【００３１】
第４枝管４を構成する材料としては、例えば塩化ビニル樹脂（特に軟質塩化ビニル樹脂）、シリコーンゴム、ポリウレタン樹脂等が挙げられる。これらの中でも塩化ビニル樹脂（特に軟質塩化ビニル樹脂）が好ましい。これにより、第４枝管４の剛性が向上し、シリンジを接続する時に第４枝管４がたわむことなく接続できるため操作性が向上する。
【００３２】
第４枝管４は、第１枝管１、第２枝管２および第３枝管３と異なる材料で構成されていても良いが、同じ材料で構成されていることが好ましい。これにより、医療用カテーテルの材料を共通化できるため生産性を向上することができる。
【００３３】
第４枝管４の内径は、特に限定されないが、１〜９ｍｍが好ましく、特に２〜４ｍｍが好ましい。外径も、特に限定されないが、２〜１０ｍｍが好ましく、特に３〜５ｍｍが好ましい。内外径が前記範囲内であると、分岐部を束ねた際に嵩張らず、かつ流量抵抗も少ないチューブ５とすることができる。
【００３４】
第４枝管４の直径と、第１枝管１の直径、第２枝管２の直径および第３枝管３の直径とは、同じであっても、異なっていても構わない。
【００３５】
このような各枝管は、種々の機能を果たすものである。例えば体内の内容物を吸引して排出するための通路と連通する枝管、カテーテルに設けられているバルーンを膨張させるための膨張用流体を注入するための通路と連通する枝管、前記体内の内容物を吸引する効率を向上させるための空気導入通路と連通する枝管等が挙げられる。
【００３６】
チューブ５と、前記各枝管とは、接続部材６を介して接合されている。
図２に示すように、接続部材６は、第１枝管１、第２枝管２、第３枝管３および第４枝管４がそれぞれ挿入可能な第１貫通孔６１、第２貫通孔６２、第３貫通孔および第４貫通孔６４が設けられている。
また、各貫通孔（６１、６２、６３および６４）と反対側に向かってチューブ５を挿入可能なチューブ挿入口６５が設けられている。
チューブ挿入口６５と、各貫通孔（６１、６２、６３および６４）とは、連通している。
【００３７】
第１貫通孔６１、第２貫通孔６２および第４貫通孔６４は、横方向に略並列に配置されている。これにより、第１枝管１、第２枝管２および第３枝管３とが前記基準面上に配置される。
第３貫通孔６３は、略並列に配置されている第１貫通孔６１、第２貫通孔６２および第４貫通孔６４が形成する面に対して、所定の角度をなして形成されている。これにより、第３枝管３を前記基準面に対して所定の角度をなして配置できる。本実施形態では、前記角度は２０度であるが、これに限定されず、１０〜４０度が好ましく、特に２０〜３０度が好ましい。
【００３８】
第３貫通孔６３は、本実施の形態では、第４貫通孔６４とチューブ挿入口６５とが連通する内腔の上側（図２中の上側）に設けられている。これにより、３本以上の枝管を有する医療用カテーテルを小さくすることができ、それによって操作性を向上することができる。
【００３９】
接続部材６を構成する材料は、特に限定されず、例えば塩化ビニル樹脂、ポリカーボネート樹脂、ＡＢＳ樹脂、ポリアミド樹脂、ポリウレタン樹脂等が挙げられる。これらの中でもポリウレタン樹脂が好ましい。これにより、成形性が良くかつ生産性を向上することができる。さらに、接続部材６に柔軟性を持たせることができ、医療用カテーテルを体内に留置後に患者が分岐部で怪我することを防止できる。
【００４０】
次に、医療用カテーテルを製造するための金型について添付図面に示す好適な実施形態に基づいて説明する。
図３ないし図５に示すように、上述のような医療用カテーテル１００を製造する本発明の金型は、上型７および下型８で構成されている。
上型７の内面（合わせ面）は、第１枝管１を配置可能な第１溝７１と、第２枝管２を配置可能な第２溝７２と、第４枝管４を配置可能な第４溝７４と、チューブ５を配置可能なチューブ溝７５と、樹脂成形空間を構成する空間部（キャビティ）７６と、を有している。
第１溝７１、第２溝７２および第４溝７４と、チューブ溝７５とは、接合部材６を形成可能な空間部７６を介して対向する位置に略同一平面である基準面上に設けられている。
【００４１】
空間部７６には、接合部材６を構成する樹脂が充填するためのゲート７７が、上型７の一方の側面部７ａから空間部７６に連通するように設けられている。
空間部７６は、基端部側（図３中左側）に各溝（７１、７２および７４）側を広角とする扇形をなしている。一方、先端側（図３中右側）は、最終的に管状部を形成するような溝をなしている。
【００４２】
各溝（７１、７２および７４）の基端側（図３中左側）には、図示しない芯材を挿入するための凹部７８が形成されている。凹部７８には、芯材の基端部に設けられた突起部が配置されることになる。これにより、各枝管を成形後に芯材を引き抜くのを容易にすることができる。
【００４３】
下型８の内面（合わせ面）は、上型７と同様に第１枝管１を配置可能な第１溝８１と、第２枝管２を配置可能な第２溝８２と、第４枝管４を配置可能な第４溝８４と、チューブ５を配置可能なチューブ溝８５と、樹脂成形空間を構成する空間部（キャビティ）８６と、を有している。
第１溝８１、第２溝８２および第４溝８４と、チューブ溝８５とは、接合部材６を形成可能な空間部８６を介して対向する位置に略同一平面である基準面上に設けられている。
【００４４】
空間部８６には、接合部材６を構成する樹脂が充填するためのゲート８７が、上型８の一方の側面部８ａから空間部８６に連通するように設けられている。
空間部８６は、基端部側（図４中左側）に各溝（８１、８２および８４）側を広角とする扇形をなしている。一方、先端側（図４中右側）は、最終的に管状部を形成するような溝をなしている。
【００４５】
各溝（８１、８２および８４）の基端側（図４中左側）には、図示しない芯材を挿入するための凹部８８が形成されている。凹部８８には、芯材の基端部に設けられた突起部が配置されることになる。これにより、各枝管を成形後に芯材を引き抜くのを容易にすることができる。
【００４６】
さらに、下型８には、空間部８６の基端側から各溝（８１、８２および８４）の先端側にかかる位置にダミー部材８９が配置されている。
図５に示すようにダミー部材８９は、本体部８９１と、本体部８９１に芯材が挿入可能な突起部８９２が設けられている。本体部８９１の下部（図５中下側）は、下型８が形成する凹陥部に嵌合する。
突起部８９２は、本体部８９１の上部から空間部８６内で位置決めされた状態で固定される。これにより、溶融樹脂が注入された場合であっても第３枝管３を挿入するための第３貫通孔６３の位置がずれることが無い。
そして、種々の角度、径、長さ等を備えた突起部８９１を準備することにより、ダミー部材８９のみを交換するだけで多様な医療用カテーテル１００の製造に対応することができる。
ダミー部材８９の上端側（図５中上側）は、接続部材６を形成するための型となっている。
【００４７】
次に、医療用カテーテルの製造方法について説明する。
例えば図６に示すように、下型８の各溝（８１、８２および８４）に各枝管（１、２および４）を、チューブ溝８５にチューブ５を配置する。
次に各枝管（１、２および４）の内腔に芯材９を挿入する。芯材９は、最終的に各枝管（１、２および４）と、チューブ５とを連通させるものである。したがって、各芯材７の先端部は、チューブ５の各内腔に１０〜１５ｍｍ程度挿入されるように配置されている。
【００４８】
芯材９を構成する材料としては、芯材９が溶融または変形しない材料であれば特に限定されないが、金属類が好ましく、例えばステンレス鋼、鉄等が挙げられる。
また、芯材９の外径は、各枝管（１、２および４）の内径より小さければ特に限定されないが、０．５〜８．５ｍｍが好ましく、特に１．５〜３．５ｍｍが好ましい。芯材９を用いることにより、各枝管（１、２および４）と、チューブ５とを連通することができる。
【００４９】
また、ダミー部材８９の突起部８９１内部にも芯材９を挿入する。
そして、次に上型７と下型８とを、それらの内面（合わせ面）において当接し、両端を固定し、空間部（７６および８６で形成される）に、ゲート７７および８７から溶融樹脂を注入して接続部材６を成形する。
成形する際の樹脂押出部におけるシリンダーの温度は、押し出す樹脂に依存するため特に限定されないが、１９０〜２３０℃が好ましく、特に２００〜２２０℃が好ましい。また、金型温度は、接続部材６の形状によるが、１０〜５０℃が好ましく、特に１５〜２０℃が好ましい。
【００５０】
注入された樹脂は、空間部（７６および８６で形成される）により、接続部材６を形成する。接続部材６には、一方側に各枝管（１、２および４）と、他方側に各枝管（１、２および４）とが配置されている。また、各枝管（１、２および４）が形成する略同一平面の基準面に対して所定の角度を有して設けられる第３貫通孔６３が形成されている。
【００５１】
そして、上型７と下型８とを離型すると共に、芯材９を除去する。これにより、各枝管（１、２および４）とチューブ５とが連通した状態にすることができる。
さらに、接続部材６に第３枝管３を接着あるいは溶着等を行う。これにより、最終的に医療用カテーテル１００を得ることができる。
【００５２】
以上、本発明の医療用カテーテル、金型および医療用カテーテルの製造方法について図示の実施形態に基づいて説明したが、本発明はこれに限定されず、各部の構成は、同様の機能を発揮し得る任意の構成のものと置換することができる。
例えば、本実施の形態では、枝管が４本の場合について説明したが、３本等の場合、５、６本等の４本以上の場合でも用いることができる。
また、本実施の形態では、４本の枝管の中の１本のみが所定の角度を形成している実施形態を示したが、それ以外にも２本の枝管が所定の角度を形成していても良い。
【産業上の利用可能性】
【００５３】
本発明の医療用カテーテルでは、角度をなした枝管を配置することにより、接続部材の嵩張りが低下するため、全体的にコンパクトな設計にでき、操作性、取扱性を向上することができる。
本発明の医療用カテーテルの製造方法では、製造工数の削減ができるとともに、角度をなした枝管の成形が容易に可能となる。
【図面の簡単な説明】
【００５４】
【図１】本発明の医療用カテーテルの一例を示す斜視図である。
【図２】接続部材の一例を示す斜視図である。
【図３】本発明の金型の一例を示す内面図である。
【図４】本発明の金型の一例を示す内面図である。
【図５】本発明の金型の一例を示す断面図である。
【図６】本発明の医療用カテーテルの製造方法を説明するための模式図である。
【符号の説明】
【００５５】
１      第１枝管
２      第２枝管
３      第３枝管
４      第４枝管
５      チューブ
６      接続部材
６１    第１貫通孔
６２    第２貫通孔
６３    第３貫通孔
６４    第４貫通孔
６５    チューブ挿入口
７      上型
７ａ    側面部
７１    第１溝
７２    第２溝
７３    第３溝
７４    第４溝
７５    チューブ溝
７６    空間部
７７    ゲート
７８    凹部
８      下型
８ａ    側面部
８１    第１溝
８２    第２溝
８３    第３溝
８４    第４溝
８５    チューブ溝
８６    空間部
８７    ゲート
８８    凹部
８９    ダミー部材
８９１  本体部
８９２  突起部
１００  医療用カテーテル
【図１】
2006263247.tif 000003
【図２】
2006263247.tif 000004
【図３】
2006263247.tif 000005
【図４】
2006263247.tif 000006
【図５】
2006263247.tif 000007
【図６】
2006263247.tif 000008